(57)【特許請求の範囲】
【請求項１】
光パワーを制御するための方法であって、
光源の出力光パワーを測定し、予め設定された試験制御信号が受信されるか否かを判定するステップと、
前記予め設定された試験制御信号が受信されないとき、データ信号を前記光源の出力光に変調し、自動パワー制御を実現するために、前記光源の出力光パワー測定結果にしたがって前記光源のバイアス電流を調整するステップと、
前記予め設定された試験制御信号が受信されるとき、試験を開始し、試験信号を前記データ信号に重畳して重畳信号を形成し、前記重畳信号を前記光源の前記出力光に変調するステップと、を備え、前記試験の期間中、前記光源の前記バイアス電流を予め設定された目標値に維持するために、前記光源の前記出力光パワー測定結果は無視される、方法。
【請求項２】
請求項１に記載の光パワーを制御するための方法であって、前記予め設定された試験制御信号は、有効な光時間領域反射率計（ＯＴＤＲ）試験制御信号である、方法。
【請求項３】
請求項１乃至２のいずれか１つに記載の光パワーを制御するための方法であって、前記試験の期間中、前記光源の前記バイアス電流を予め設定された目標値に維持するために、前記光源の前記出力光パワー測定結果が無視されることは、
前記試験が開始されるとき、自動光パワー制御ループは、前記予め設定された試験制御信号の制御下で、前記自動光パワー制御ループを一時停止するように開ループとなるように制御され、前記試験の期間中、前記光源の前記バイアス電流は、前記試験が開始されたときの電流値を維持する、ことを含む方法。
【請求項４】
請求項３に記載の光パワーを制御するための方法であって、さらに、前記試験が完了した後、前記自動光パワー制御ループを再び閉ループとなるように制御し、前記自動パワー制御を元に戻すステップ、を備える方法。
【請求項５】
コントローラと、バイアス電流調整ユニットと、光パワー測定ユニットとを備える光源ドライバであり、前記バイアス電流調整ユニットと前記光パワー測定ユニットは前記コントローラに接続されている、光源ドライバであって、
前記光パワー測定ユニットは、光源の出力光パワーを測定し、出力光パワー測定結果を前記コントローラに提供するように構成され、
前記コントローラは、予め設定された試験制御信号が受信されるか否かを検出し、前記予め設定された試験制御信号が受信されないときは、自動パワー制御を実現するために、前記バイアス電流調整ユニットを制御して前記出力光パワー測定結果に従って前記光源のバイアス電流を調整し、前記予め設定された試験制御信号が受信されるときは、試験を開始し、試験信号を前記データ信号に重畳して重畳信号を形成し、出力光パワー測定結果を無視することにより、前記バイアス電流調整ユニットを制御して光源のバイアス電流を現在の目標値で維持する、ように構成された、光源ドライバ。
【請求項６】
請求項５に記載の光源ドライバであって、前記予め設定された試験制御信号は、有効な光時間領域反射率計（ＯＴＤＲ）試験制御信号である、光源ドライバ。
【請求項７】
請求項５乃至６のいずれか１つに記載の光源ドライバであって、前記バイアス電流調整ユニットを制御して光源のバイアス電流を現在の目標値で維持することは、
前記試験が開始されたとき、前記予め設定された試験制御信号の前記制御の下で、自動光パワー制御ループを開ループとするように制御し、前記試験の期間中、前記バイアス電流調整ユニットを制御して、前記光源の前記バイアス電流を前記試験が開始したときの電流値で維持する、ことを含む光源ドライバ。
【請求項８】
請求項７に記載の光源ドライバであって、前記コントローラは、さらに、前記試験が完了した後、前記自動光パワー制御ループを再び閉ループとするように制御して、前記自動パワー制御を元に戻すように構成された、光源ドライバ。
【請求項９】
請求項５乃至８のいずれか１つに記載の光源ドライバであって、変調ユニットであり、前記試験が開始していないときは、データ信号を前記光源の出力光に変調し、前記試験期間中は、試験信号を前記データ信号に重畳して重畳信号を形成し、前記重畳信号を前記光源の前記出力光に変調するように構成された、変調ユニットをさらに備える、光源ドライバ。
【請求項１０】
光源と、光源ドライバと、試験コントローラとを備える光送受信機モジュールであって、
前記試験コントローラは、光源ドライバに接続され、試験期間中、光源ドライバのための試験信号を提供するように構成され、
前記光源ドライバは、前記光源の出力光パワー測定結果を取得し、予め設定された試験制御信号が受信されないときは、データ信号を前記光源の出力光に変調し、自動パワー制御を実現するために出力光パワー測定結果に従って光源のバイアス電流を調整し、前記予め設定された試験制御信号が受信されるときは、試験を開始し、前記試験の期間中は、
前記試験信号を前記データ信号に重畳して重畳信号を形成し、前記重畳信号を前記光源の前記出力光に変調し、前記光源の前記出力光パワー測定結果を無視することにより、前記光源の前記バイアス電流を予め設定された目標値で維持するように構成された、光送受信機モジュール。
【請求項１１】
請求項１０に記載の光送受信機モジュールであって、前記予め設定された制御信号は、有効な光時間領域反射率計（ＯＴＤＲ）試験制御信号である、光送受信機モジュール。
【請求項１２】
請求項１０乃至１１のいずれか１つに記載の光送受信機モジュールであって、前記光源ドライバが前記光源の前記出力光パワー測定結果を無視することにより、前記光源の前記バイアス電流を予め設定された目標値で維持するように構成されることは、
前記予め設定された試験制御信号の前記制御の下で、自動光パワー制御ループを開ループとするように制御し、前記試験の期間中、前記光源の前記バイアス電流を前記試験が開始されたときの電流値で維持するように構成されることを含む、光送受信機モジュール。
【請求項１３】
請求項１０乃至１１のいずれか１つに記載の光送受信機モジュールであって、さらに、ＯＴＤＲ検出器であり、前記試験の期間中、前記試験信号が光ネットワーク内で反射されるとき、戻ってきた反射信号を収集し、前記反射信号をＯＴＤＲ試験データとして前記試験コントローラに提供する、ＯＴＤＲ検出器を備える、光送受信機モジュール。
【請求項１４】
サービス処理モジュールと光送受信機モジュールとを備える光回線終端装置であって、
前記光送受信機モジュールは、請求項１０乃至１３のいずれか１つに記載の光送受信機モジュールであり、
前記サービス処理モジュールは、予め設定された試験制御信号を前記光送受信機モジュールに提供し、試験が完了した後、試験データを収集し、それに応じて、故障検出を実行するように構成された、光回線終端装置。
【請求項１５】
パッシブ光ネットワークシステムであって、請求項１４に記載の光回線終端装置と少なくとも１つの光ネットワークユニットとを備え、前記光回線終端装置は、光分配ネットワークを介して前記少なくとも１つの光ネットワークと接続された、パッシブ光ネットワークシステム。
【請求項１６】
プログラムが記録されたコンピュータ可読記憶媒体であって、前記プログラムは、請求項１乃至４のいずれか１つに記載のステップをコンピュータに実行させる、コンピュータ可読記憶媒体。
【発明の詳細な説明】
【技術分野】
【０００１】
本発明は、通信技術に関し、特に、パッシブ光ネットワークの光パワーを制御するための方法および装置に関する。
【背景技術】
【０００２】
光ファイバーケーブルは、銅ケーブルに代わって、徐々に、ネットワーク技術のアクセス方法の主流になってきている。そして、光アクセス技術の応用が急激に進展している。パッシブ光ネットワーク（PON）技術は、ポイント・ツー・マルチポイント（P2MP）に基づいた光アクセス技術である。一般的に言えば、パッシブ光ネットワークシステムは、主に、中央局に設置される光回線終端装置（OLT）と、ユーザ側に設置される光ネットワークユニット（ONU）と、光回線終端装置と光ネットワークユニットとの間のデータ信号の分配や多重化のための光分配ネットワーク（optical  distribution  network）とを含む。
【０００３】
ネットワークリンクのパワー予算（power  budget）を保証する（ensure）ために、光回線終端装置のデータ送信部は通常、自動パワー制御（APC）ループを採用して、送信光パワーの安定性を保証する。具体的には、光回線終端装置がダウンリンク・データを送信する際に、ＡＰＣループは、光源の出力光パワーをリアルタイムで測定し、パワー測定結果に従って光源のバイアス電流を調整する。これによって、自動パワー制御を実現している。
【０００４】
別の側面では、パッシブ光ネットワークにおいては、光時間領域反射率計（optical  time  domain  reflectometer）（OTDR）が、光ファイバーネットワークの試験および故障位置（fault  location）等の観点から広く使われている。
【０００５】
ＯＴＤＲ試験中、パッシブ光ネットワークは通常、通常サービスへの影響を避けるために、運用中状態のまま維持される必要がある。したがって、ＯＴＤＲ試験信号は、通常の通信データに重畳されることによって送信される。しかし、通信データにＯＴＤＲ試験信号が重畳された後に、光回線終端装置の出力光パワーに変動が生じ得る。この場合、ＡＰＣループは、自動的に、出力光パワー測定結果に従って光源のバイアス電流を低減する。ＯＴＤＲ試験信号の光強度は通常、比較的弱く、例えば、通信データの約５％〜３０％なので、出力光パワーの自動調整は、ＯＴＤＲ試験信号の強度を著しく弱めてしまう、または、ＯＴＤＲ試験信号を埋没すらさせてしまう可能性があり、これによって、ＯＴＤＲに、試験および故障位置を、通常通り実行できなくさせる。
【発明の概要】
【課題を解決するための手段】
【０００６】
自動パワー制御が試験信号を弱めてしまう、または埋没すらさせてしまうという上述の問題を解決するために、本発明は、光パワーを制御する方法および装置を提供する。光パワーを制御する装置は、具体的には、光源ドライバ（optical  source  driver）、光送受信機モジュール、または、光回線終端装置であり得る。
【０００７】
光パワーを制御する方法は、光源の出力光パワーを測定するステップと、予め設定された試験制御信号が受信されるかを判定するステップと、予め設定された試験制御信号が受信されないときは、データ信号を光源の出力光に変調するステップと、自動パワー制御を実現するために、光源の出力光パワー測定結果に従って光源のバイアス電流を調整するステップと、予め設定された試験制御信号が受信されるときは、試験を開始し、試験信号をデータ信号に重畳して重畳信号を形成するステップと、重畳信号を光源の出力光に変調するステップとを含み、試験期間中は、光源の出力光パワー測定結果は無視され、光源のバイアス電流を、予め設定された目標値のまま維持する。
【０００８】
光源ドライバは、コントローラと、バイアス電流調整ユニットと、光パワー測定ユニットとを含み、バイアス電流調整ユニットと光パワー測定ユニットは、共に、コントローラに接続される。光パワー測定ユニットは、光源の出力光パワーを測定し、出力光パワー測定結果をコントローラに提供するように構成される。コントローラは、予め設定された試験制御信号が受信されるか否かを検出し、予め設定された試験制御信号が受信されないときは、バイアス電流調整ユニットを制御して、出力光パワー測定結果に従って光源のバイアス電流を調整して自動パワー制御を実現し、予め設定された試験制御信号が受信されるときは、出力光パワー測定結果を無視することにより、バイアス電流調整ユニットを制御して、光源のバイアス電流を予め設定された目標値のまま維持する。
【０００９】
光送受信機モジュールは、光源と、光源ドライバと、試験コントローラとを含む。試験コントローラは、光源ドライバに接続され、試験期間中、光源ドライバのために試験信号を提供するように構成される。光源ドライバは、光源の出力光パワー測定結果を取得し、予め設定された試験制御信号が受信されないときは、データ信号を光源の出力光に変調し、出力光パワー測定結果に従って光源のバイアス電流を調整して自動パワー制御を実現し、予め設定された試験制御信号が受信されるときは、試験を開始し、試験信号をデータ信号に重畳して重畳信号を形成し、重畳信号を光源の出力光に変調し、試験中の光源の出力光パワー測定結果を無視することにより、光源のバイアス電流を予め設定された目標値のまま維持するように構成される。
【００１０】
光回線終端装置は、サービス処理モジュールと光送受信機モジュールとを含み、光送受信機モジュールは、上述の光送受信機モジュールであり、サービス処理モジュールは、予め設定された試験制御信号を光送受信機モジュールに提供し、試験データを収集し、試験データに応じて、試験完了後に故障検出を実行する。
【００１１】
本発明によって提供される技術的解決策においては、試験期間中、たとえ試験信号がダウンリンクデータに重畳された結果光源の出力光パワーに変動が生じ得たとしても、試験期間中は、予め設定された試験制御信号の制御の下で自動光パワー制御ループは無効にされるので、出力光パワー測定結果は無視され、光源のバイアス電流は、予め設定された目標値のまま維持される。したがって、既存の技術に比べて、本発明によって提供される技術的解決策は、自動光パワー調整のせいで、試験信号の信号強度が弱められ、または、埋没させられすらするという問題を効果的に回避し得る。これによって、通常のＯＴＤＲ試験および故障位置を保証する。
【図面の簡単な説明】
【００１２】
【図１】パッシブ光ネットワークの概略構造図
【図２】光回線終端装置が光送受信機モジュールを含む場合の本発明の実施例にしたがった光回線終端装置の概略構造図
【図３】図２に示された光送受信機モジュールにおける光源ドライバの内部構造の概略図
【図４】図３に示された光源ドライバの動作フローチャート
【発明を実施するための形態】
【００１３】
本発明によって提供される技術的解決策が、以下の通り、具体的な実施例を参照すると共に詳細に説明される。
【００１４】
ＡＰＣループを採用することによる自動パワー制御のせいで、ＯＴＤＲ試験信号が弱められる、または、埋没させられすらする、という既存技術における問題を解決するために、本発明は、光回線終端装置の光送受信機モジュールにおいて、ＡＰＣループの開ループ（open-loop）と閉ループ（closed-loop）との間のシームレスな切り換えを採用して光源（例えば、レーザ・ダイオード）のバイアス電流を制御し、その結果、ＯＴＤＲ試験期間中は光送受信機モジュールの光源のバイアス電流が不変に保たれ、それによって、ＯＴＤＲ試験中のＯＴＤＲ試験信号の強度を保証し、自動パワー制御のせいでＯＴＤＲ試験信号が著しく弱められ、または、埋没すらさせられ得る、という問題を効果的に解決することを提案する。
【００１５】
本開示をよりよく理解できるように、以下の説明では、まず、本発明によって提供される光パワー制御の方法を適用することのできるパッシブ光ネットワーク（ＰＯＮ）の構造を紹介する。図１を参照すると、パッシブ光ネットワークシステム１００は、少なくとも１つの光回線終端装置１１０と、複数の光ネットワークユニット１２０と、光分配ネットワーク１３０とを含み得る。光回線終端装置１１０は、光分配ネットワーク１３０を介して、複数の光ネットワークユニット１２０と、ポイント・ツー・マルチポイントの形態で接続されている。光回線終端装置１１０から光ネットワークユニット１２０への方向は、ダウンリンク方向として定義され、光ネットワークユニット１２０から光回線終端装置１１０への方向は、アップリンク方向として定義される。
【００１６】
パッシブ光ネットワークシステム１００は、いかなる能動的な構成要素も持たずに、光回線終端装置１１０と光ネットワークユニット１２０との間のデータ分配を実現する通信ネットワークであり得る。例えば、１つの具体的な実施例において、光回線終端装置１１０と光ネットワークユニット１２０との間のデータ分配は、光分配ネットワーク１３０におけるパッシブ光構成要素（passive  optical  component）（例えば、光分配器（optical  splitter））を介して実現され得る。パッシブ光ネットワークシステム１００は、ITU-T  G.983規格で定義されている非同期転送モード・パッシブ光ネットワーク（ATM  PON）システムまたはブロードバンド・パッシブ光ネットワーク（BPON）システム、ITU-T  G.984規格で定義されているギガビット・パッシブ光ネットワーク（GPON）、IEEE  802.3ah規格で定義されているイーサネット（登録商標）・パッシブ光ネットワーク（EPON）、あるいは、次世代パッシブ光ネットワーク（NGA  PON、例えば、XGPON又は10G  EPON）であり得る。これらの規格の全体は、参照により本明細書に組み込まれる。
【００１７】
光回線終端装置１１０は通常、中央の位置（例えば、中央局、CO）に設置されており、複数の光ネットワークユニット１２０を管理し得るものであり、光ネットワークユニット１２０と上位レイヤネットワーク（図示せず）との間でデータを送信し得るものである。具体的には、光回線終端装置１１０は、光ネットワークユニット１２０と上位レイヤネットワークとの間の仲介者としての役割を果たし、上位レイヤネットワークから受信したデータを光ネットワークユニット１２０に転送し、光ネットワークユニット１２０から受信したデータを上位レイヤネットワークに転送し得る。光回線終端装置１１０の具体的な構造の構成は、パッシブ光ネットワーク１００の種類に応じて変わる。例えば、一実施例において、光回線終端装置１１０は、光送受信機モジュールを含み、光送受信機モジュールは、ダウンリンク光信号を光ネットワークユニット１２０に送信し、アップリンク光信号を光ネットワークユニット１２０から受信するように構成され、ダウンリンク光信号とアップリンク光信号は、光分配ネットワークを介して送信され得る。さらに、一つの具体的な実施例において、光送受信機モジュールは、プラグ着脱可能な光モジュールとして独立に構成され得る。
【００１８】
光ネットワークユニット１２０は、ユーザ側の場所（例えば、ユーザ宅内）にばらまかれ得る。光ネットワークユニット１２０は、光回線終端装置１１０とユーザとの間の通信を実行するように構成されたネットワーク機器であり得る。具体的には、光ネットワークユニット１２０は、光回線終端装置１１０とユーザとの間の仲介者としての役割を果たし得る。例えば、光ネットワークユニット１２０は、光回線終端装置１１０から受信したデータをユーザに転送し、ユーザから受信したデータを光回線終端装置１１０に転送し得る。理解されるべきは、光ネットワークユニット１２０は、光ネットワーク端末（Optical  Network  Terminal,  ONT）と同様の構造を持っているということである。従って、本発明によって提供される解決策において、光ネットワークユニット１１０は、光ネットワーク端末によって置き換え可能であり、逆の置き換えもまた可能である。
【００１９】
光分配ネットワーク１３０は、データ分配システムであり得る。データ分配システムは、ファイバー（fiber）、光カプラ、光スプリッタ、および／または、他の機器を含み得る。一実施例において、ファイバー、光カプラ、光スプリッタ、および／または、他の機器は、受動光部品（passive  optical  components）であり得る。具体的には、ファイバー、光カプラ、光スプリッタ、および／または、他の機器は、光回線終端装置１１０と光ネットワークユニット１２０との間でデータ信号を分配するためにいかなるパワーも必要としない部品であり得る。加えて、他の実施例において、光分配ネットワーク１３０はさらに、１つ以上の、例えば、光増幅器やリレー機器等の処理デバイスを含み得る。さらに、光分配ネットワーク１３０は、具体的には、光回線終端装置１１０から複数の光ネットワークユニット１２０まで延びることが可能であり、また、いかなる他のポイント・ツー・マルチポイント構造として構成されてもよい。
【００２０】
また、図２を参照して、一実施例において、光回線終端装置１１０は、サービス処理モジュール１１１、光送受信機モジュール１１２、および光カプラ１１３を含み得る。光送受信機モジュール１１２は、送信機サブモジュール１２１および試験サブモジュール１２２を含み得る。送信機サブモジュール１２１および試験サブモジュール１２２は、光カプラ１１３を介して、光分配ネットワーク１３０のトランクファイバー（trunk  fiber）に接続される。一つの観点において、光カプラ１１３は、送信機サブモジュール１２１によって送信された光信号をトランクファイバーに出力することが可能であり、一つの具体的な実施例において、送信機サブモジュール１２１によって送信される光信号は通常、光回線終端装置１１０から光ネットワークユニット１２０へ送信されるダウンリンクデータを含むことが可能であり、光回線終端装置上の試験期間中（during  the  test  period  on  the  optical  line  terminal）、送信機サブモジュール１２１によって送信される光信号はさらに、光ライン検出（optical  line  detection）を実行するための試験信号を含み得る。試験信号は、ダウンリンクデータに重畳され得る。別の観点において、試験期間中、光カプラ１１３はさらに、パッシブ光ネットワーク１００の光ファイバーリンクから試験サブモジュール１２２へ戻ってくる反射信号を提供し得る。ＯＴＤＲ試験信号がパッシブ光ネットワーク１００の光ファイバーリンクで反射され、その結果、反射信号を形成する。
【００２１】
間違いなく理解されるべきは、光送受信機モジュール１１２はさらに、受信機サブシステム（図示せず）を含み得るということである。光カプラ１１３はさらに、複数の光ネットワークユニット１２０によって送信されるアップリンク光信号を受信機サブモジュールに提供し得る。そして、受信機サブモジュールは、アップリンク光信号に対して光から電気への変換を実行することが可能であり、そして、アップリンク光信号をサービス処理モジュール１１１の信号処理のために出力し得る。
【００２２】
一実施例において、図２に示されるように、送信機サブモジュール１２１は、光源１２３、光源ドライバ１２４、およびフォトダイオード検出器１２５を含み得る。光源１２３は、レーザーダイオード（LD）であり得る。光源ドライバ１２４は、レーザーダイオードドライバ（LDD）であり得る。フォトダイオード検出器１２５は、モニターフォトダイオード検出器（mPD）であり得る。光源ドライバ１２４は、サービス処理モジュール１１１と光源１２３との間に接続され、サービス処理モジュール１１１によって提供されたダウンリンクデータを、光源１２３の出力光に変調し得る。そして、試験期間中、光源ドライバ１２４はさらに、試験サブモジュール１２４によって提供されたＯＴＤＲ試験信号をダウンリンクデータに重畳し、そして、重畳された信号を光源１２３の出力光に変調し得る。光源１２３は、光源ドライバ１２４と光カプラ１１３との間に接続され、そして、光カプラ１１３を介して、ダウンリンクデータ、または、重畳された信号を載せた出力光を光分配ネットワーク１３０に出力し得る。
【００２３】
さらに、フォトダイオード検出器１２５は、光源１２３と光源ドライバ１２４との間に接続され、そして、光源１２３の出力光を検出し、光電気変換を介して、出力光を対応する光電流に変換し、光電流を光源ドライバ１２４に提供して、光源ドライバ１２４が光源１２３の出力光パワー測定結果を取得できるようにし得る。通常の通信時間の間は、光源１２３の出力光は、試験サブモジュール１２２によって提供されるＯＴＤＲ試験信号を載せておらず、光源ドライバ１２４は、出力光パワー測定結果に従って、光源１２３のバイアス電流を調整し得る。その結果、光源１２３の自動パワー制御を実現する。試験期間中は、光源１２３の出力光はダウンリンクデータとＯＴＤＲ試験信号とを含む重畳信号を載せている。そして、光源ドライバ１２４は、出力光パワー測定結果を無視して、光源１２３のバイアス電流が変わらないように制御し得る。
【００２４】
具体的な一実施例において、試験サブモジュール１２２がＯＴＤＲ試験を開始する時、光源ドライバ１２４は、上位レイヤ主制御チップ（upper-layer  main  control  chip）から、予め設定された試験制御信号を受信し得る。そして、予め設定された制御信号は、有効なＯＴＤＲ試験制御信号（すなわち、ＯＴＤＲ＿ＴＥＳＴ制御信号）であり得る。しかし、ＯＴＤＲ試験が開始されていない時、または試験が終了した時、光源ドライバ１２４は、予め設定された試験制御信号を受信することができない。この時これは、光源ドライバ１２４が無効なＯＴＤＲ＿ＴＥＳＴ制御信号を受信することに等しい。したがって、光源ドライバ１２４は、ＯＴＤＲ＿ＴＥＳＴ制御信号が有効か否かの検出を通して、現在試験期間中であるか否かを判定し、出力光パワー測定結果が無視されるべきか否かを判定し得る。
【００２５】
試験サブモジュール１２２は、ＯＴＤＲ試験コントローラ１２６とＯＴＤＲ検出器１２７とを含み得る。ＯＴＤＲ試験コントローラ１２６は、通信インターフェイスを介して、サービス処理モジュール１１１に接続されており、さらに、光源ドライバ１２４に接続されている。ＯＴＤＲ検出器１２７は、ＯＴＤＲ試験コントローラ１２６と光カプラ１１３との間に接続されている。試験が起動されると、ＯＴＤＲ試験コントローラ１２６は、通信インターフェイスを介して、サービス処理モジュール１１１からＯＴＤＲ試験コマンドを受信し、それに応じて、ＯＴＤＲ試験を開始し、光源ドライバ１２４のためのＯＴＤＲ試験信号を提供し得る。さらに、上述された通り、試験期間中、ＯＴＤＲ試験信号は、光源１２３の出力光に変調され、そして、光カプラ１１３を介して光分配ネットワーク１３０に出力され得る。そして、ＯＴＤＲ試験信号は、光ファイバーリンクの各試験ポイントで反射され得る。それに応じて、反射信号が生成され、反射信号はさらに、光カプラ１１３に戻り得る。ＯＴＤＲ検出器１２７は、光カプラ１１３から反射信号を集め、反射信号を試験データとして、ＯＴＤＲ試験コントローラ１２６に提供し得る。試験完了後、ＯＴＤＲ試験コントローラ１２６は、光源ドライバ１２４へのＯＴＤＲ試験信号の提供を止める。そして、サービス処理モジュール１１１は、通信インターフェイスを介して試験データをＯＴＤＲ試験コントローラ１２６から抽出し、試験データに対して、予め設定されたＯＴＤＲアルゴリズムの計算を実行し得る。さらに、計算結果に従って、対応するＯＴＤＲ試験曲線（OTDR  test  curve）が、サービス処理モジュール１１１または光回線終端装置の他の機能モジュール（上位レイヤのソフトウェアモジュール等）によって示され得る。ＯＴＤＲ試験曲線は、故障の検出および位置のために使用され得る。
【００２６】
また、図３を参照すると、図３は、本発明の実施例に従った光源ドライバ１２４の概略回路図である。本実施例をよりよく理解するために、図３はさらに、光源ドライバ１２４と光源１２３とフォトダイオード検出器１２５との間の接続関係を示している。
【００２７】
光源ドライバ１２４は、コントローラ１３１、光パワー測定ユニット１３２、バイアス電流調整ユニット１３３、変調電流調整ユニット１３４、および、変調回路１３５を含み得る。コントローラ１３１は、試験制御端子１３６、光パワー測定端子１３７、バイアス電流制御端子１３８、および変調電流制御端子１３９とを含む。試験制御端子１３６は、上位レイヤ主制御チップからＯＴＤＲ＿ＴＥＳＴ制御信号を受信するように構成され得る。パッシブ光ネットワーク１００が通常の通信状態にあるとき、試験制御端子１３６によって受信されるＯＴＤＲ＿ＴＥＳＴ制御信号は無効なＯＴＤＲ＿ＴＥＳＴ制御信号であり、パッシブ光ネットワーク１００が試験期間中は、試験制御端子１３６によって受信されるＯＴＤＲ＿ＴＥＳＴ制御信号は有効なＯＴＤＲ＿ＴＥＳＴ制御信号である。光パワー測定端子１３７、バイアス電流制御端子１３８、および変調電流制御端子１３９は、それぞれ、光パワー測定ユニット１３２、バイアス電流調整ユニット１３３、変調電流調整ユニット１３４に接続されている。
【００２８】
変調回路１３５は、変調電流調整ユニット１３４と光源１２３との間に接続され、そして、差動スイッチペア（differential  switch  pair）を介して、ダウンリンクデータ、または、試験信号とダウンリンクデータとを含む重畳信号を、光源１２３の出力光に変調し得る。変調電流調整ユニット１３４は、コントローラ１３１の変調電流制御端子１３９から受信した変調電流制御信号に従って、光源１２３の変調電流を調整し得る。
【００２９】
光パワー測定ユニット１３２はさらに、フォトダイオード検出器１２５に接続され、光パワー測定ユニット１３２は、フォトダイオード検出器１２５によって提供され光源１２３の出力光に対応する光電流に従って、光源１２３の出力光パワーを取得し、光パワー測定端子１３７を介してコントローラ１３１のための出力光パワー測定結果を提供し得る。
【００３０】
バイアス電流調整ユニット１３３はさらに、光源１２３に接続されている。パッシブ光ネットワーク１００が通常の通信状態にあるとき、コントローラ１３１によって受信されるＯＴＤＲ＿ＴＥＳＴ制御信号は無効である。この時、光パワー測定ユニット１３２、コントローラ１３１、および、バイアス電流調整ユニット１３４は、協調してＡＰＣループを形成する。コントローラ１３１は、光パワー測定ユニット１３２から得られた出力光パワー測定結果に基づいて、バイアス電流制御信号をバイアス電流調整ユニット１３３にバイアス電流制御端子１３８を介して出力し得る。そして、光源１２３のバイアス電流を調整して自動パワー制御を実現するようにバイアス電流調整ユニット１３３を制御し得る。具体的には、出力光パワーが予め設定された範囲以下であることを出力光パワー測定結果が示すとき、コントローラ１３１は、光源１２３のバイアス電流を増やすようにバイアス電流調整ユニット１３３を制御し得る。出力光パワーが予め設定された範囲より大きいことを出力光パワー測定結果が示すとき、コントローラ１３１は、光源１２３のバイアス電流を減らすようにバイアス電流調整ユニット１３３を制御し得る。出力光パワーが予め設定された範囲内に入っていることを出力光パワー測定結果が示すとき、コントローラ１３１は、光源１２３が現在の出力光パワーを維持するように、光源１２３のバイアス電流を調整しないようにバイアス電流調整ユニット１３３を制御し得る。上述の解決策における自動パワー制御によって、光源１２３の出力光パワーは、目標範囲内に安定させられ得る。これにより、ネットワークリンクのパワー予算が保証される。
【００３１】
パッシブ光ネットワークがＯＴＤＲ試験を開始するとき、コントローラ１３１は、有効なＯＴＤＲ＿ＴＥＳＴ制御信号を受信する。このとき、コントローラ１３１は、ＯＴＤＲ＿ＴＥＳＴ制御信号の制御の下で出力光パワー測定結果を無視する。すなわち、ＡＰＣループが無効化され、バイアス電流調整ユニット１３３は、光源１２３に固定されたバイアス電流を提供して、ＯＴＤＲ試験が終わるまで、光源１２３のバイアス電流をＯＴＤＲ試験が開始した時（すなわち、ＡＰＣループが開かれた時）の電流値のまま維持するように制御される。換言すると、ＯＴＤＲ試験期間中、ダウンリンクデータに重畳されるＯＴＤＲ試験信号は、光源１２３の出力光パワー上に変動を生じさせ得るが、このとき、光源ドライバ１２４は、ＯＴＤＲ＿ＴＥＳＴ制御信号の制御下のＡＰＣループによる出力光パワーの自動調整を停止する。これにより、ＯＴＤＲ試験信号の信号が著しく弱められること、または、実質的に埋没させられることを回避し、通常のＯＴＤＲ試験および故障位置を保証する。
【００３２】
ＯＴＤＲ試験が完了し、通常の通信状態に入った後、コントローラ１３１は、ＡＰＣループを再び閉ループとなるように制御し得る。そして、その結果、光源ドライバ１２４は、上述の、光源１２３の自動出力光パワー制御を元に戻し得る。
【００３３】
本発明の実施例によって提供される解決策において、光源１２３のバイアス電流のためのＡＰＣループは、ＯＴＤＲ試験期間中は開ループとなるように制御され、試験が完了した後、ＡＰＣループは閉ループとなるように制御され、ＡＰＣループが開ループと閉ループとの間を切り換えられるとき、光源１２３のバイアス電流は、予め設定された目標値で安定させられる。したがって、試験期間中にＡＰＣループの自動パワー制御によってＯＴＤＲ試験信号の強度が弱められることによるＯＴＤＲ試験信号の埋没が、効果的に回避され、これにより、通常のＯＴＤＲ試験および故障位置が保証される。
【００３４】
上述の光源ドライバ１２４の動作が、図４に示されるフローチャートを参照して、以下の通り、手短に要約される。
【００３５】
システムに電源が投入された後（ステップＳ０）、コントローラ１３１は、まず、ＯＴＤＲ＿ＴＥＳＴ制御信号が有効か否かを検出する（ステップＳ１）。もし、ＯＴＤＲ＿ＴＥＳＴ制御信号が有効ならば、コントローラ１３１は、ＡＰＣループを制御して開ループとし、バイアス電流調整ユニット１３３を制御して、光源１２３に固定のバイアス電流を提供させる。もし、ＯＴＤＲ＿ＴＥＳＴ制御信号が無効ならば、コントローラ１３１は、ＡＰＣループの閉ループ状態を維持し、光源１２３の出力光パワーが予め設定された範囲内か否かを、光パワー測定ユニット１３２によって提供される出力光パワー測定結果にしたがって判定する（ステップＳ３）。もし、出力光パワーが予め設定された範囲内であれば、コントローラ１３１は、バイアス電流調整ユニット１３３を制御して、光源１２３の現在のバイアス電流を維持するようにする（ステップＳ４）。もし、出力光パワーが予め設定された範囲内でなかったら、コントローラ１３１は、さらに、出力光パワーが予め設定された範囲を超えているか否かを判定する（ステップＳ５）。もし、出力光パワーが予め設定された範囲を超えていたら、コントローラ１３１は、バイアス電流調整ユニット１３３を制御して、光源１２３のバイアス電流を減らすようにする（ステップＳ６）。そして、もし、出力光パワーが予め設定された範囲よりも低かったら、コントローラ１３１は、バイアス電流調整ユニット１３３を制御して、光源１２３のバイアス電流を増やすようにする（ステップＳ７）。
【００３６】
上述の実現方法の説明を通して、当業者は、本発明が、必要なハードウェアプラットフォーム上のソフトウェアを通して実現され得ること、また、間違いなく、ハードウェアを通して完全に実現され得ること、をはっきりと理解するであろう。そのような理解に基づいて、上記技術的解決策、または、従来技術に対して貢献する部分は、ソフトウェア製品の形で組み込まれ得る。コンピュータソフトウェア製品は、ＲＯＭ／ＲＡＭ、磁気ディスク、光ディスク等の可読記録媒体の中に格納されることが可能であり、コンピュータデバイス（例えば、パーソナルコンピュータ、サーバ、ネットワークデバイス）に命令して、本発明の実施例または実施例のある部分において説明された方法を実行させるための指示を含む。
【００３７】
上記の説明は、本発明の単なる典型的な実施例に過ぎず、本発明の保護範囲はこれに限定されるものではない。本発明において開示された技術的解決策内において、当業者によって考えられ得るいかなる変更、均等な置換も、本発明の保護範囲内に入るべきである。したがって、本発明の保護範囲は、添付の特許請求の範囲次第である。
【図１】
0005797839.tif 000002
【図２】
0005797839.tif 000003
【図３】
0005797839.tif 000004
【図４】
0005797839.tif 000005